(57)【要約】【課題】端末置台固有の識別子を読み出すために必要な不揮発性メモリの動作電源を、端末置台が電源に接続されていなくても得ることができる端末ユニットおよび端末置台を得る。【解決手段】端末２と、端末２をセットすることにより端末２とつながる端末置台３と、を有する端末ユニット。端末置台３は、固有の識別子を記憶する不揮発性メモリを有する。端末置台３に端末２がセットされると、端末置台３と端末２との間にアースラインが成立し、端末２は端末置台３の不揮発性メモリに設定されている識別子を読み取ってこの識別子で識別されるデータを引き継ぐ。端末置台３の不揮発性メモリは、端末２から端末置台３に入力される信号を動作電源とする。【選択図】図１
2020010308.tif 000002
【特許請求の範囲】
【請求項１】
端末と、前記端末をセットすることにより前記端末とつながる端末置台と、を有する端末ユニットであって、
前記端末置台は、固有の識別子を記憶する不揮発性メモリを有し、
前記端末置台に前記端末がセットされることにより、前記端末置台と前記端末との間にアースラインが成立するとともに、前記端末は前記端末置台の前記不揮発性メモリに設定されている識別子を読み取ってこの識別子で識別されるデータを引き継ぎ、
前記端末置台の前記不揮発性メモリは、前記端末から前記端末置台に入力される信号を動作電源とする端末ユニット。
【請求項２】
前記不揮発性メモリは、前記端末から前記不揮発性メモリに入力するデータ信号で動作する請求項１記載の端末ユニット。
【請求項３】
前記端末置台は、前記端末から前記不揮発性メモリに入力するデータ信号により前記不揮発性メモリを動作させる電源生成回路を有する請求項１または２記載の端末ユニット。
【請求項４】
端末をセットすることにより前記端末とつながる端末置台であって、
固有の識別子を記憶する不揮発性メモリを有し、
前記端末がセットされることにより、前記端末置台と前記端末との間にアースラインが成立し、前記端末に、前記不揮発性メモリに設定されている識別子を読み取らせてこの識別子で識別されるデータを引き継がせ、
前記不揮発性メモリは、前記端末から入力される信号を動作電源とする端末置台。
【請求項５】
前記不揮発性メモリの動作電源を、前記端末から前記不揮発性メモリに入力するデータ信号によって生成する請求項４記載の端末置台。
【請求項６】
前記不揮発性メモリに入力する前記データ信号から前記不揮発性メモリの動作電源を生成する電源生成回路を有する請求項４または５記載の端末置台。
【発明の詳細な説明】
【技術分野】
【０００１】
本発明は、端末置台とこの端末置台にセットされる端末とを有する端末ユニットおよび前記端末置台に関するものである。
【背景技術】
【０００２】
レストランなどにおいて、メニューのオーダーや配膳、決済などの情報を電子化し、ネットワークを通じて各部署の端末を連携させることにより、管理の合理化と客へのサービス向上を図った接客管理装置が実用化されている。
【０００３】
特許文献１記載の発明もその一つで、客席に設置する端末置台と、この端末置台にセットすることができるテーブル端末を有してなる。前記端末置台は各客席に設置される。各端末置台は、客席を識別する固有の識別子、換言すれば、端末置台を識別する固有の識別子を設定することができる。テーブル端末は、任意の端末置台にセットすることができる。テーブル端末を任意の端末置台にセットすると、端末置台に設定される固有の識別子を読み取って識別子データを保存し、その客席での前記テーブル端末の使用を可能にする。
【０００４】
特許文献１記載の発明によれば、テーブル端末が電源を内蔵した携帯型の端末を任意の端末置台にセットすればよく、特定の端末置台には特定のテーブル端末をセットしなければならない、というような特定の組み合わせを意識する必要がない。また、テーブル端末の電源である電池の蓄電容量が低下した場合は、別のテーブル端末をその客席の端末置台にセットするだけでその客席に関わる接客データが引き継がれるため、使い勝手の良い接客管理装置を得ることができる。
【先行技術文献】
【特許文献】
【０００５】
【特許文献１】特許第３５８２７８２号公報
【発明の概要】
【発明が解決しようとする課題】
【０００６】
特許文献１記載の発明における端末置台は充電回路を備えていて、テーブル端末がセットされている間は、テーブル端末の電池を充電することができる。前記充電回路は、商用交流電源を整流して所定の電圧の直流電源に変換するＡＣ−ＤＣ変換機能を備えている。
【０００７】
各端末置台固有の前記識別子は、一般的には各端末置台に内蔵されている不揮発性メモリに記憶させる。不揮発性メモリに記憶させている識別子を読み出す機会は、端末置台にテーブル端末をセットしたときだけであり、読み出すときにのみ、必要な動作電源を不揮発性メモリに入力させればよい。識別子を読み出すために必要な不揮発性メモリの動作電源は極めて微力なものである。
【０００８】
本発明は、端末置台固有の識別子を読み出すために必要な不揮発性メモリの動作電源を、端末置台が電源に接続されていなくても、簡易な構成で得ることができる端末ユニットおよび端末置台を提供することを目的とする。
【課題を解決するための手段】
【０００９】
本発明に係る端末ユニットは、
端末と、前記端末をセットすることにより前記端末とつながる端末置台と、を有する端末ユニットであって、
前記端末置台は、固有の識別子を記憶する不揮発性メモリを有し、
前記端末置台に前記端末がセットされることにより、前記端末置台と前記端末との間にアースラインが成立するとともに、前記端末は前記端末置台の前記不揮発性メモリに設定されている識別子を読み取ってこの識別子で識別されるデータを引き継ぎ、
前記端末置台の前記不揮発性メモリは、前記端末から前記端末置台に入力される信号を動作電源とすることを特徴とする。
【００１０】
本発明に係る端末置台は、
端末をセットすることにより前記端末とつながる端末置台であって、
固有の識別子を記憶する不揮発性メモリを有し、
前記端末がセットされることにより、前記端末置台と前記端末との間にアースラインが成立し、前記端末に、前記不揮発性メモリに設定されている識別子を読み取らせてこの識別子で識別されるデータを引き継がせ、
前記不揮発性メモリは、前記端末から入力される信号を動作電源とすることを特徴とする。
【発明の効果】
【００１１】
本発明に係る端末ユニットおよび端末置台によれば、端末側からの信号で端末置台の不揮発性メモリを動作させることができる。端末置台に、不揮発性メモリを動作させるための電源回路を設ける必要がなく、端末置台自体がＡＣ電源などに接続されていなくても、端末は正常に動作する。
【図面の簡単な説明】
【００１２】
【図１】本発明に係る端末ユニットおよび端末置台の実施例を示すブロック図である。
【図２】本発明に係る端末ユニットおよび端末置台を備えた接客システムの概要を示すブロック図である。
【発明を実施するための形態】
【００１３】
以下、本発明に係る端末ユニットおよび端末置台の実施例について図面を参照しながら説明する。
【実施例】
【００１４】
本発明に係る端末置台および端末ユニットを備えた接客システムの概要を、図２を参照しながら説明する。図２は、レストランにおける接客システムを想定して構成されており、中央制御装置１を中心にして複数の端末との間で情報信号の交信が行われるようになっている。中央制御装置１と各端末との間の信号の交信は有線で行われてもよいが、図示の例では無線によって行われるようになっている。無線ＬＡＮの規格は任意である。
【００１５】
複数の端末は、個々に各種の役割を分担している。図２において、符号２で示す端末はテーブル端末である。テーブル端末２は、そのディスプレイすなわち画像表示部にメニュー情報を表示し、来店客がメニュー情報を閲覧することができる。テーブル端末２のディスプレイはタッチパネルになっていて、表示されているメニュー画像などにタッチすることによりメニューを選択することができる。
【００１６】
テーブル端末２は、動作するための電源として充電可能な電池を内蔵している。テーブル端末２は、来店客が着席するテーブル４に設置されている端末置台３にセットすることができる。テーブル端末２が端末置台３にセットされているときは、端末置台３に内蔵されている電源回路からテーブル端末２の電池に充電電力を供給する。端末置台３はテーブルの数に対応して複数設置されている。端末置台３はテーブル席に限らず、カウンター席などにも設置することができる。テーブル端末２は少なくとも端末置台３の数に対応するように複数用意される。
【００１７】
テーブル端末２は、端末置台３にセットされている状態でも、端末置台３から取り外した状態でも動作し、上記いずれの状態でも操作することができる。
【００１８】
各端末置台３は、個々の端末置台３を識別するための識別子を設定することができる不揮発性メモリを内蔵している。ある端末置台３にテーブル端末２をセットすると、端末置台３とテーブル端末２とが接点を通じて電気的に接続され、端末置台３の上記識別子がテーブル端末２で読み込まれる。以後、特定の端末置台３と特定のテーブル端末２とが識別子によって紐づけされる。
【００１９】
したがって、上記特定のテーブル端末２とは別のテーブル端末２を上記特定の端末置台３にセットすると、上記別のテーブル端末２は、端末置台２の不揮発性メモリから識別子を読み取り、識別子で識別される注文データを引き継ぐ。このような識別機能を持たせた構成は、例えばテーブル端末２の電源電池の蓄電量が少なくなって動作不能となり、別のテーブル端末２に交換する必要がある場合などに有効である。
【００２０】
テーブル端末２を操作して注文すると、注文データが中央制御装置１に送信され、中央制御装置１は厨房に置かれた厨房端末５と配膳台に置かれている配膳端末６に、注文データをテーブル端末２の識別データとともに送信する。中央制御装置１は、識別子によって識別されるテーブル端末２ごとに、注文履歴、累積した料金、その他来店客にとって有用なデータを上記テーブル端末２に送信し、テーブル端末２のディスプレイに表示させる。
【００２１】
厨房では、厨房端末５に表示されている注文メニューに従って調理し、調理し終わったら、厨房端末５に表示されている該当メニューを消去する。消去された該当メニュー情報は中央制御装置１を介して配膳端末６に送信され、そのメニューが配膳端末６に、テーブル端末２の識別データとともに表示される。テーブル端末２にメニューが表示されることによって配膳係は調理が終わったことを知ることができる。配膳係は、調理された料理を、端末置台の識別データに対応したテーブルまたはカウンター席に運ぶ。配膳係は、配膳が終わると、配膳端末に表示されている該当メニューを消去する。
【００２２】
配膳端末６の操作に従ったデータが中央制御装置１に送信され、中央制御装置１は、端末置台３の識別子ごとに分類して、注文データ、調理データ、配膳データを蓄積し、その時々の精算データ、その他の有用なデータを演算し保存する。有用なデータの一例として、テーブル端末２ごとに客数に応じた割り勘額の演算データがある。中央制御装置１は上記演算データを該当するテーブル端末２に表示させる。
【００２３】
来店客は、飲食を終わってその店を退出しようとするとき、テーブル端末２の精算ボタンを押すなどして精算を指示する。精算を指示する信号は端末置台２の識別子信号とともに中央制御装置１に送信され、中央制御装置１は上記端末置台３の識別子と紐づけされた注文データに対応する代金額を演算し、清算端末７に送信する。
【００２４】
清算端末７では、中央制御装置１から送信されてきた清算データに従って来店客から支払いを受け、清算完了の入力操作を行う。中央制御装置１は精算完了の入力操作が行われるたびに、売り上げの積算、注文メニューの分類、分析、蓄積など、経営に役立つデータ処理を行う。また、フランチャイズのチェーン店の場合、中央制御装置１は、ＰＯＳシステムによってフランチャイズ本部とつながっている場合もある。
【００２５】
以上、接客システムの例を概略的に説明した。本発明は、このような接客システムにおける前述の課題を解決するもので、特に、端末置台およびこの端末置台とこれにセットされる端末を有してなる端末ユニットの構成に特徴を有するものである。
【００２６】
接客システムには、図２に示す例のように、各部署においてそれぞれの機能を分担する各種端末が用いられるが、図１では、テーブル端末２の例を示している。テーブル端末２は、制御部２１、ディスプレイ２２、メモリ１１、電池２３、電圧レベル検知部２４、充電オン／オフ制御部２５、スイッチ２６、抵抗２７、端末置台メモリ制御部２８、シリアルＩ／Ｆ制御部２９を有している。テーブル端末２はまた、端末置台３側のＩ／Ｆコネクタ８１と結合する端末側のＩ／Ｆコネクタ８２を有している。
【００２７】
端末置台３は、商用交流電源（以下「ＡＣ」という）入力コネクタ３１、ＡＣアダプタ３２、電源出力制御回路３３、電源生成回路３４、不揮発性メモリ３５を有している。ＡＣアダプタ３２と電源出力制御回路３３は、テーブル端末２の電池２３に向けて充電電力を供給する電源回路を構成している。端末置台３はまた、テーブル端末２側のＩ／Ｆコネクタ８２と結合してテーブル端末２側と電気的に接続する端末置台側のＩ／Ｆコネクタ８１を有している。
【００２８】
ＡＣアダプタ３２は、ＡＣ入力コネクタ３１から入力される商用交流電源を直流に変換する整流回路を内蔵している。ＡＣアダプタ３２で変換された直流電源は電源出力制御回路３３に入力される。電源出力制御回路３３は上記直流電源を電圧Ｖ１に変換し、電圧Ｖ１の直流電源はＩ／Ｆコネクタ８１，８２を介してテーブル端末２側に供給される。
【００２９】
電源出力制御回路３３には、テーブル端末２側からＩ／Ｆコネクタ８２，８１を介してコントロール（ＣＴＲＬ）信号が入力される。このコントロール信号は、電圧Ｖ１の直流電源を出力するか否かを決定する信号で、端末置台３にテーブル端末２が正しくセットされて端末置台３とテーブル端末２双方のアースラインが成立するとコントロール信号がオンになる。電源出力制御回路３３は、コントロール信号がオンであれば直流電源を出力し、コントロール信号がオフであれば直流電源の出力を停止する。電源出力制御回路３３から出力される直流電源は、テーブル端末２に向けて、電池２３の充電電力として供給される。
【００３０】
不揮発性メモリ３５は、記憶保持動作を行わなくてもデータを記憶しておくことができる記憶素子で、例えばフラッシュメモリで構成することができる。不揮発性メモリ３５には、個々の端末置台３を識別することができるように、予め特定の識別子が設定されている。不揮発性メモリ３５の動作電源は電源生成回路３４から供給される。不揮発性メモリ３５に記憶されている識別子データは、クロック（ＣＬＣＫ）信号に同期しながら読み出され、Ｉ／Ｆコネクタ８１，８２のデータ（ＤＡＴＡ）端子を介してテーブル端末２側に送信される。
【００３１】
電源生成回路３４は、後で説明するテーブル端末２側のシリアルＩ／Ｆ制御部２９から入力されるデータ（ＤＡＴＡ）信号およびクロック信号から、不揮発性メモリ３５を動作させるのに必要な電圧Ｖ２の電源を生成する。上記データ信号およびクロック信号は、逐次的なパルス信号であって、これを整流し、平滑することによって、不揮発性メモリ３５を動作させるのに十分な電力を得ることができる。
【００３２】
端末置台３側のＩ／Ｆコネクタ８１とテーブル端末２側のＩ／Ｆコネクタ８２は、互いに１対１の関係で対応する電圧Ｖ１の電源接点、アース（ＧＮＤ）接点、コントロール信号接点、データ信号接点、クロック信号接点をこの順に有している。これら双方の接点は、端末置台３にテーブル端末２をセットすることによって互いに電気的に接続される。
【００３３】
テーブル端末２の制御部２１はＣＰＵを主体として構成され、ディスプレイ２２での表示、電圧レベル検知部２４による検知レベルの閾値設定、端末置台メモリ制御部２８の動作制御などを司る。ディスプレイ２２はタッチパネルからなり、メニューや様々な情報を表示する画像表示部として機能するとともに、入力装置としても機能する。
【００３４】
電池２３は充電可能な電池であって、テーブル端末２を動作させるための電力を供給する。電池２３の端子電圧は電圧レベル検知部２４に入力される。
【００３５】
電圧レベル検知部２４は、電池２３の端子電圧が充電開始電圧まで降下したことおよび充電終了電圧まで上昇したことを検知するもので、制御部２１から充電開始電圧および充電終了電圧の閾値が入力される。電圧レベル検知部２４は、電池２３の端子電圧が充電開始電圧閾値まで低下すると充電開始信号を出力し、電池２３の端子電圧が充電終了電圧閾値まで上昇すると充電終了信号を出力する。充電開始信号すなわち充電オン制御信号と、充電終了信号すなわち充電オフ制御信号は充電オン／オフ制御部２５に入力される。
【００３６】
充電オン／オフ制御部２５は、端末置台３側から電池２３に供給される電圧Ｖ１の充電電力をオン／オフ制御するもので、図１の例では電池２３への充電電力をスイッチ２６でオン／オフ制御する構成になっている。充電オン／オフ制御部２５はまた、端末置台３側から供給される電圧Ｖ１を基に、電圧レベル検知部２４の動作電源として電圧Ｖｃｃを生成して電圧レベル検知部２４に供給する。
【００３７】
テーブル端末２側のＩ／Ｆコネクタ８２のコントロール信号接点は、抵抗２７を介してアースに接続されている。抵抗２７は一種の保護抵抗であって、低抵抗で、かつ、大電流に耐え得るワッテージの高い抵抗である。端末置台３とテーブル端末２双方のＩ／Ｆコネクタ８１，８２が結合したとき、何らかの要因でコントロール信号接点に高電圧がかかったとしても、抵抗２７が高電圧をアースに落とし、テーブル端末２の電子部品を保護する。
【００３８】
抵抗２７は上記のように保護抵抗として機能する一方、端末置台３とテーブル端末２とが正しくセットされているとき、Ｉ／Ｆコネクタ８１，８２のコントロール信号接点が実質的にアースに落とされているものとみなされる状態にする。すなわち、Ｉ／Ｆコネクタ８１，８２の各接点が正しく接触することにより、端末置台３とテーブル端末２双方のアースラインが成立する。このアースラインを成立させるためにも、抵抗２７は抵抗値の低いものが選定される。
【００３９】
端末置台３にテーブル端末２をセットすると、双方のＩ／Ｆコネクタ８１，８２の前記各接点が電気的につながる。双方のＩ／Ｆコネクタ８１，８２のグランド（ＧＮＤ）接点がつながることにより、端末置台３とテーブル端末２のアースラインが成立する。また、Ｉ／Ｆコネクタ８１，８２のコントロール信号接点がつながることにより、これらの接点が抵抗２７を介して実質的にアースに落とされる。これによって、端末置台３の電源出力制御回路３３の制御信号入力端子への入力電圧が変化する。この電圧の変化が電源出力制御回路３３に制御信号として入力され、電源出力制御回路３３はその出力端子から前記電圧Ｖ１の充電電力を出力する。
【００４０】
端末置台３に内蔵されている不揮発性メモリ３５の動作電源は、端末置台３内のＡＣアダプタ３２で生成される直流電源から得ることも可能である。しかし、図示の実施例では、テーブル端末２側のシリアルＩ／Ｆ制御部２９からシリアル通信によって送信されるデータ信号およびクロック信号から、電源生成回路３４が不揮発性メモリ３５の動作電源を生成する。この動作電源は電圧Ｖ２の直流電源で、前記電圧Ｖ１よりも低い電圧である。電源生成回路３４はシリアル信号を直流に変換するために、整流回路と平滑回路を有している。シリアル信号の電力量は微小であるが、不揮発性メモリ３５を動作させるには十分である。
【００４１】
不揮発性メモリ３５は必要なときにだけ動作すればよい。図示の例では、テーブル端末２側の制御部２１からの制御によって端末置台メモリ制御部２８がシリアルＩ／Ｆ制御部２９を必要なときに動作させ、不揮発性メモリ３５の動作タイミングに合わせて不揮発性メモリ３５に電源を供給する。
【００４２】
以上、端末置台３と、端末置台３およびテーブル端末２を有してなる端末ユニットの実施例の構成を説明した。次に、上記実施例の動作を一連の流れに沿って説明する。
【００４３】
端末置台３にテーブル端末２がセットされ、双方のＩ／Ｆコネクタ８１，８２の対応する接点同士が電気的につながっているものとする。また、ＡＣ入力コネクタ３１からＡＣ電源が供給されているものとする。端末置台３にテーブル端末２がセットされると、端末置台３とテーブル端末２の双方のアースラインが成立し、抵抗２７を介して電源出力回路３３の制御信号入力端子が実質的にアースに落とされ、電源出力回路３３が動作する。
【００４４】
電源出力回路３３は直流電圧Ｖ１を生成し、直流電圧Ｖ１がＩ／Ｆコネクタ８１，８２を介してテーブル端末２の充電オン／オフ制御部２５に入力される。充電オン／オフ制御部２５がスイッチ２６をオンに制御しているものとすると電池２３が電圧Ｖ１で充電される。
【００４５】
充電オン／オフ制御部２５は直流電圧Ｖｃｃを生成し、これを電圧レベル検知部２４にその動作電源として供給する。電圧レベル検知部２４は、電池２３の端子電圧を、制御部２１によって予め設定されている充電開始電圧閾値および充電終了電圧閾値と比較する。電池２３の端子電圧が充電開始電圧閾値と同じかまたはそれよりも低くなると電圧レベル検知部２４は充電オン信号を出力し、充電オン／オフ制御部２５がスイッチ２６をオンにして電池２３の充電を開始する。
【００４６】
電池２３の端子電圧が充電終了電圧閾値と同じかまたはそれよりも高くなると電圧レベル検知部２４は充電オフ信号を出力し、充電オン／オフ制御部２５がスイッチ２６をオフにして電池２３の充電を終了させる。
【００４７】
充電可能な電池２３は、充放電を繰り返すことができる回数に限りがあり、また、フルに放電しないうちに充電し、フルに充電しないうちに放電すると、メモリ効果などもあって電池の寿命が短くなる。上記実施例によれば、予め設定された充電開始電圧閾値に至って初めて充電を開始し、充電終了電圧閾値に達すると充電を終了するので、もともと備えている電池の寿命を全うさせることができる。
【００４８】
端末置台３の不揮発性メモリ３５は、テーブル端末２側の端末置台メモリ制御部２８とシリアルＩ／Ｆ制御部２９から送信されるシリアル信号をもとに電源生成回路３４で生成される電圧Ｖ２の電源が供給されて動作する。不揮発性メモリ３５は、指令信号に応じて、予め設定されている識別子データを読み出し、識別子以外のデータを書き込み、書き込んだデータを読み出す。
【００４９】
端末置台３はＡＣアダプタ３２がＡＣ電源に接続され、端末置台３でテーブル端末２の各動作部の電源および電池２３の充電電源を生成している。また、端末置台３にある不揮発性メモリ３５の電源は、端末置台３で生成して供給するのではなく、前述のようにしてテーブル端末２側から供給するようになっている。
【００５０】
端末置台３は、ＡＣ入力コネクタ３１が必ずＡＣ電源に接続されているとは限らず、ＡＣ電源プラグがコンセントから外れるなどしてＡＣ電源が端末置台３に供給されない状態があり得る。そのような場合でも、端末置台３にテーブル端末２がセットされ、電池２３に蓄電されていれば、テーブル端末２は正常に動作し、不揮発性メモリ３５にも動作電源が供給され、端末置台３とテーブル端末２は接客管理装置として正常に機能する。
【００５１】
端末置台３にテーブル端末２がセットされることなく、双方のＩ／Ｆコネクタ８１，８２が互いに分離された状態であっても、テーブル端末２は電池２３から電源が供給されて正常に動作する。テーブル端末２は、予め端末置台３にセットされて、不揮発性メモリ３５の識別子データがメモリ１１に記憶されていて、特定の端末置台３との紐づけがなされている。
【００５２】
以上説明した端末ユニットおよび端末置台の実施例によれば、端末置台３にテーブル端末２がセットされることによりアースラインが成立し、端末置台３の不揮発性メモリに設定されている識別子で識別されるデータを端末２が引き継ぐ。端末置台３にテーブル端末２がセットされると、テーブル端末２から端末置台３に入力される信号が不揮発性メモリの動作電源となる。よって、不揮発性メモリを動作させるための電源を端末置台３に設ける必要がなく、端末置台３がＡＣ電源などに接続されていなくても、不揮発性メモリからのデータ読み出しが可能である。
【産業上の利用可能性】
【００５３】
本発明に係る端末置台および端末ユニットの利用分野は任意である。例えば、飲食業、理美容業などの接客業におけるオーダーシステムとして利用可能であり、工場の製造ラインにおける部品発注システムなどにも利用可能である。
【符号の説明】
【００５４】
２    テーブル端末
３    端末置台
２３    電池
２４    電圧レベル検知部
２５    充電制御回路
３３    電源出力制御回路
３４    電源生成
３５    不揮発性メモリ
８１    端末置台側のＩ／Ｆコネクタ
８２    端末側のＩ／Ｆコネクタ
【図１】
2020010308.tif 000003
【図２】
2020010308.tif 000004